(57)【要約】【課題】仮想空間内でアニメーションを撮影することができるようにする。【解決手段】アニメーション制作システムは、仮想空間内に配置されたキャラクタを撮影する複数の仮想的なカメラと、ユーザが装着したヘッドマウントディスプレイおよびコントローラの少なくともいずれかからユーザの入力を検出するユーザ入力検出部と、操作対象のカメラの選択を受け付け、入力に応じて、選択されたカメラの制御を行うカメラ制御部と、を備える。【選択図】図１
2021059357.tif 000002
【特許請求の範囲】
【請求項１】
仮想空間内に配置されたキャラクタを撮影する複数の仮想的なカメラと、
ユーザが装着したヘッドマウントディスプレイおよびコントローラの少なくともいずれかから前記ユーザの入力を検出するユーザ入力検出部と、
操作対象の前記カメラの選択を受け付け、前記入力に応じて、選択された前記カメラの制御を行うカメラ制御部と、
を備えることを特徴とするアニメーション制作システム。
【請求項２】
請求項１に記載のアニメーション制作システムであって、
前記仮想空間内におけるキャラクタの動作を記憶する画像データ格納部をさらに備え、
前記カメラ制御部は、前記キャラクタの前記動作を再生させながら、前記カメラの制御を行うこと、
を特徴とするアニメーション制作システム。
【請求項３】
請求項２に記載のアニメーション制作システムであって、
操作対象の前記キャラクタの選択を受け付け、前記入力に応じて、選択された前記キャラクタを制御するキャラクタ制御部と、
前記キャラクタの動作を前記画像データ記憶部に登録する画像生成部と、
をさらに備えることを特徴とするアニメーション制作システム。
【発明の詳細な説明】
【技術分野】
【０００１】
本発明は、アニメーション制作システムに関する。
【背景技術】
【０００２】
仮想空間内に仮想カメラを配置することが行われている（特許文献１参照）。
【先行技術文献】
【特許文献】
【０００３】
【特許文献１】特開２０１７−１４６６５１号公報
【発明の概要】
【発明が解決しようとする課題】
【０００４】
仮想空間内でアニメーションを撮影しようとする取り組みが行われてこなかった。【０００５】
本発明はこのような背景を鑑みてなされたものであり、仮想空間内でアニメーションを撮影することのできる技術を提供することを目的とする。
【課題を解決するための手段】
【０００６】
上記課題を解決するための本発明の主たる発明は、アニメーション制作システムであって、仮想空間内に配置されたキャラクタを撮影する複数の仮想的なカメラと、ユーザが装着したヘッドマウントディスプレイおよびコントローラの少なくともいずれかから前記ユーザの入力を検出するユーザ入力検出部と、操作対象の前記カメラの選択を受け付け、前記入力に応じて、選択された前記カメラの制御を行うカメラ制御部と、を備えることとする。【０００７】
その他本願が開示する課題やその解決方法については、発明の実施形態の欄及び図面により明らかにされる。
【発明の効果】
【０００８】
本発明によれば、仮想空間内でアニメーションを撮影することができる。
【図面の簡単な説明】
【０００９】
【図１】本実施形態のアニメーション制作システム３００においてユーザが装着するヘッドマウントディスプレイ（ＨＭＤ）に表示される仮想空間の一例を示す図である。
【図２】本発明の一実施形態に係るアニメーション制作システム３００の全体構成例を示す図である。
【図３】本実施形態に係るＨＭＤ１１０の外観を模式的に示す図である。
【図４】本実施形態に係るＨＭＤ１１０の機能構成例を示す図である。
【図５】本実施形態に係るコントローラ２１０の外観を模式的に示す図である。
【図６】本実施形態に係るコントローラ２１０の機能構成例を示す図である。
【図７】本実施形態に係る画像生成装置３１０の機能構成例を示す図である。
【図８】本実施形態に係るカメラ３の撮影状況を説明する図である。
【図９】カメラ３を切り替えた状態を説明する図である。
【図１０】本実施形態のアニメーション制作システム３００における撮影処理の流れを示す図である。
【発明を実施するための形態】
【００１０】
本発明の実施形態の内容を列記して説明する。本発明は、たとえば以下のような構成を備える。
【００１１】
［項目１］
仮想空間内に配置されたキャラクタを撮影する複数の仮想的なカメラと、
ユーザが装着したヘッドマウントディスプレイおよびコントローラの少なくともいずれかから前記ユーザの入力を検出するユーザ入力検出部と、
操作対象の前記カメラの選択を受け付け、前記入力に応じて、選択された前記カメラの制御を行うカメラ制御部と、
を備えることを特徴とするアニメーション制作システム。
［項目２］
項目１に記載のアニメーション制作システムであって、
前記仮想空間内におけるキャラクタの動作を記憶する画像データ格納部をさらに備え、
前記カメラ制御部は、前記キャラクタの前記動作を再生させながら、前記カメラの制御を行うこと、
を特徴とするアニメーション制作システム。
［項目３］
項目２に記載のアニメーション制作システムであって、
操作対象の前記キャラクタの選択を受け付け、前記入力に応じて、選択された前記キャラクタを制御するキャラクタ制御部と、
前記キャラクタの動作を前記画像データ記憶部に登録する画像生成部と、
をさらに備えることを特徴とするアニメーション制作システム。
【００１２】
本発明の一実施形態に係るアニメーション制作システム３００の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１３】
＜概要＞
図１は、本実施形態のアニメーション制作システム３００においてユーザが装着するヘッドマウントディスプレイ（ＨＭＤ）に表示される仮想空間の一例を示す図である。本実施形態のアニメーション制作システム３００は、仮想空間１に仮想的なキャラクタ４と仮想的なカメラ３とを配置し、カメラ３を用いてキャラクタ４を撮影することによりアニメーションを制作しようとするものである。
【００１４】
仮想空間１にはカメラマン２（撮影者キャラクタ）が配置され、カメラマン２によりカメラ３が仮想的に操作される。本実施形態のアニメーション制作システム３００では、ユーザは、図１に示すように仮想空間１をＴＰＶ（Third Person View；三人称視点）で俯瞰しながらキャラクタ４やカメラ３を配置したり、カメラマン２としてＦＰＶ（First Person View；一人称視点）でキャラクタ４を撮影したり、ＦＰＶでキャラクタ４の演技を行ったりしながら、アニメーションを制作していく。仮想空間１内には複数のカメラ２（図１の例では、カメラ２−１およびカメラ２−２）を配置することができ、カメラ２−１およびカメラ２−２をスイッチングし、最終的なアニメーションに採用するカメラ２からの動画を切り換えることができる。
【００１５】
また、仮想空間１内には複数のキャラクタ４（図１の例では、キャラクタ４−１およびキャラクタ４−２）を配置することができ、ユーザは、キャラクタ４に憑依しながら演技を行うことができる。複数のキャラクタ４が配置されている場合には、ユーザは、各キャラクタ４（たとえば、キャラクタ４−１および４−２）に憑依する対象を切り替えることもできる。
【００１６】
このように、本実施形態のアニメーション制作システム３００では、一人が何役もの役割（ロール）を果たすことができる。また、カメラマン２としてカメラ２を仮想的に操作しながら撮影を行うことができるので、自然なカメラワークを実現することが可能となり、撮影される動画の表現を豊かにすることができる。
【００１７】
＜全体構成＞
図２は、本発明の一実施形態に係るアニメーション制作システム３００の全体構成例を示す図である。アニメーション制作システム３００は、例えば、ＨＭＤ１１０、コントローラ２１０及びホストコンピュータとして機能する画像生成装置３１０を含んで構成することができる。アニメーション制作システム３００には、ＨＭＤ１１０やコントローラ２１０の位置、向き及び傾き等を検出するための赤外線カメラ（図示せず）等を追加することもできる。これらの装置は、相互に、有線又は無線手段により接続することができる。例えば、各々の装置にＵＳＢポートを備え、ケーブルで接続することで通信を確立することもできるし、他に、ＨＤＭＩ、有線ＬＡＮ、赤外線、Ｂｌｕｅｔｏｏｔｈ（登録商標）、ＷｉＦｉ（登録商標）等の有線又は無線により通信を確立することもできる。画像生成装置３１０は、ＰＣ、ゲーム機、携帯通信端末等、計算処理機能を有する装置であればよい。
【００１８】
＜ＨＭＤ１１０＞
図３は、本実施形態に係るＨＭＤ１１０の外観を模式的に示す図である。図４は、本実施形態に係るＨＭＤ１１０の機能構成例を示す図である。
【００１９】
ＨＭＤ１１０はユーザの頭部に装着され、ユーザの左右の眼前に配置されるよう表示パネル１２０を備える。表示パネル１２０としては、光学透過型と非透過型のディスプレイが考えられるが、本実施形態では、より没入感を提供可能な非透過型の表示パネルを例示する。表示パネル１２０には、左目用画像と右目用画像とが表示され、両目の視差を利用することにより立体感のある画像をユーザに提供することができる。左目用画像と右目用画像とを表示することができれば、左目用ディスプレイと右目用ディスプレイとを個別に備えることも可能であるし、左目用及び右目用の一体型のディスプレイを備えることも可能である。
【００２０】
ＨＭＤ１１０の筐体部１３０は、センサ１４０を備える。センサ１４０は、ユーザの頭部の向きや傾きといった動きを検出するために、図示しないが、例えば、磁気センサ、加速度センサ、もしくはジャイロセンサのいずれか、またはこれらの組み合わせを備えることができる。ユーザの頭部の垂直方向をＹ軸とし、Ｙ軸と直交する軸のうち、表示パネル１２０の中心とユーザとを結ぶ、ユーザの前後方向に相当する軸をＺ軸とし、Ｙ軸及びＺ軸と直交し、ユーザの左右方向に相当する軸をＸ軸とするとき、センサ１４０は、Ｘ軸まわりの回転角（いわゆる、ピッチ角）、Ｙ軸まわりの回転角（いわゆる、ヨー角）、Ｚ軸まわりの回転角（いわゆる、ロール角）を検出することができる。
【００２１】
センサ１４０に代えて、またはセンサ１４０に加えて、ＨＭＤ１１０の筐体部１３０は、複数の光源１５０（例えば、赤外光ＬＥＤ、可視光ＬＥＤ）を備えることもできる。ＨＭＤ１１０の外部（例えば、室内等）に設置されたカメラ（例えば、赤外光カメラ、可視光カメラ）がこれらの光源を検出することで、特定の空間におけるＨＭＤ１１０の位置、向き、傾きを検出することができる。または、同じ目的で、ＨＭＤ１１０に、ＨＭＤ１１０の筐体部１３０に設置された光源を検出するためのカメラを備えることもできる。
【００２２】
ＨＭＤ１１０の筐体部１３０は、アイトラッキング・センサを備えることもできる。アイトラッキング・センサは、ユーザの左目及び右目の視線方向及び注視点を検出するために用いられる。アイトラッキング・センサとしては様々な方式が考えられるが、例えば、左目および右目に弱い赤外光を照射してできる角膜上の反射光の位置を基準点とし、反射光の位置に対する瞳孔の位置により視線方向を検出し、左目及び右目の視線方向の交点を注視点として検出する方法などが考えられる。
【００２３】
＜コントローラ２１０＞
図５は、本実施形態に係るコントローラ２１０の外観を模式的に示す図である。図６は、本実施形態に係るコントローラ２１０の機能構成例を示す図である。
【００２４】
コントローラ２１０により、仮想空間内において、ユーザが所定の入力を行うことをサポートすることができる。コントローラ２１０は、左手用２２０及び右手用２３０のコントローラのセットとして構成することができる。左手用コントローラ２２０及び右手用コントローラ２３０は、各々操作用トリガーボタン２４０、赤外線ＬＥＤ２５０、センサ２６０、ジョイスティック２７０、メニューボタン２８０を有することができる。
【００２５】
操作用トリガーボタン２４０は、コントローラ２１０のグリップ２３５を把持したときに、中指及び人差し指でトリガーを引くような操作を行うことを想定した位置に２４０ａ、２４０ｂとして配置される。コントローラ２１０の両側面から下方にリング状に形成されるフレーム２４５には、複数の赤外線ＬＥＤ２５０が備えられ、コントローラ外部に備えられるカメラ（図示せず）により、これらの赤外線ＬＥＤの位置を検出することで、特定の空間におけるコントローラ２１０の位置、向き及び傾きを検出することができる。
【００２６】
また、コントローラ２１０は、コントローラ２１０の向きや傾きといった動きを検出するために、センサ２６０を内蔵することができる。センサ２６０として、図示しないが、例えば、磁気センサ、加速度センサ、もしくはジャイロセンサのいずれか、またはこれらの組み合わせを備えることができる。さらに、コントローラ２１０の上面には、ジョイスティック２７０及びメニューボタン２８０を備えることができる。ジョイスティック２７０は、基準点を中心に３６０度方向に動かすことができ、コントローラ２１０のグリップ２３５を把持したときに、親指で操作されることが想定される。メニューボタン２８０もまた同様に、親指で操作されることが想定される。さらに、コントローラ２１０は、コントローラ２１０を操作するユーザの手に振動を与えるためのバイブレータ（図示せず）を内蔵することもできる。ボタンやジョイスティックを介したユーザの入力内容やセンサ等を介したコントローラ２１０の位置、向き及び傾きといった情報を出力するため、また、ホストコンピュータからの情報を受信するために、コントローラ２１０は、入出力部及び通信部を有する。
【００２７】
ユーザがコントローラ２１０を把持し、各種ボタンやジョイスティックを操作することの有無、及び赤外線ＬＥＤやセンサにより検出される情報によって、システムはユーザの手の動きや姿勢を決定し、仮想空間内において擬似的にユーザの手を表示させ、動作させることができる。
【００２８】
＜画像生成装置３１０＞
図７は、本実施形態に係る画像生成装置３１０の機能構成例を示す図である。画像生成装置３１０としては、ＨＭＤ１１０やコントローラ２１０から送信された、ユーザ入力情報やセンサ等により取得されたユーザの頭部動きやコントローラの動きや操作に関する情報を記憶し、所定の計算処理を行い、画像を生成するための機能を有する、ＰＣ、ゲーム機及び携帯通信端末等といった装置を使用することができる。画像生成装置３１０は、例えば、ＨＭＤ１１０やコントローラ２１０等の周辺装置との有線による接続を確立するための入出力部３２０を備えることができ、赤外線、Ｂｌｕｅｔｏｏｔｈ（登録商標）やＷｉＦｉ（登録商標）等無線による接続を確立するための通信部３３０を備えることができる。入出力部３２０及び／又は通信部３３０を介して、ＨＭＤ１１０及び／又はコントローラ２１０から受信された、ユーザの頭部の動きやコントローラの動きや操作に関する情報は、制御部３４０において、ユーザの位置、視線、姿勢等の動作、発話、操作等を含めた入力内容として検出され、ユーザの入力内容に応じて、記憶部３５０に格納された制御プログラムを実行することで、キャラクタ４の制御を行い、画像を生成するといった処理がなされる。制御部３４０は、ＣＰＵで構成することもできるが、画像処理に特化したＧＰＵをさらに設けることで、情報処理と画像処理を分散化し、全体の処理の効率化を図ることもできる。画像生成装置３１０はまた、他の計算処理装置と通信を行い、他の計算処理装置に情報処理や画像処理を分担させることもできる。
【００２９】
制御部３４０は、ＨＭＤ１１０及び／又はコントローラ２１０から受信された、ユーザの頭部の動きやユーザの発話、また、コントローラの動きや操作に関する情報を検出するユーザ入力検出部４１０と、予め記憶部３５０のキャラクタデータ格納部４５０に格納されたキャラクタ４に対して、制御プログラム格納部４６０に格納された制御プログラムを実行するキャラクタ制御部４２０と、キャラクタ制御に応じて、仮想空間１に配置された仮想的なカメラ３の制御を行うカメラ制御部４４０と、システムの制御モードを変更するモード制御部４８０と、制御モードに応じたキャラクタ制御に基づいてカメラ３が仮想空間１を撮影した画像を生成する画像生成部４３０とを有する。ここでキャラクタ４の動きの制御については、ＨＭＤ１１０やコントローラ２１０を介して検出されたユーザ頭部の向きや傾き、手の動きといった情報を、人間の身体の関節の動きや制約に則って作成されたボーン構造の各部の動きに変換し、予め格納されたキャラクタデータに対して、ボーン構造を関連付けることで、ボーン構造の動きを適用させることで実現される。カメラ３の制御は、たとえば、キャラクタ４の手の動きに応じて、カメラ３についての各種設定（たとえば、カメラ３の仮想空間１内での位置、カメラ３の撮影方向、焦点位置、ズームなど）を変更することにより行われる。
【００３０】
記憶部３５０は、上述のキャラクタデータ格納部４５０に、キャラクタ４のイメージデータのほか、キャラクタ４の属性等キャラクタ４に関連する情報を格納する。また、制御プログラム格納部４６０は、仮想空間におけるキャラクタ４の動作や表情を制御し、カメラ３などのオブジェクトを制御するためのプログラムを格納する。画像データ格納部４７０は、画像生成部４３０で生成された画像を格納する。
【００３１】
＜制御パネル６＞
アニメーション制作システム３００の制御モードは、モード制御部４８０により設定される。なお、起動時は俯瞰モードとすることができる。また、起動時にはメニュー画面等を表示するようにしてもよい。ユーザは、制御パネル６を操作することにより、制御モードを変更することができる。図１に示すように、制御パネル６は仮想空間１に配置される。制御パネル６は、ユーザの操作により自由な位置に配置することができる。ユーザが、たとえば、指を制御パネル６の端部近傍に移動させてトリガーボタン２４０を押下して制御パネル６をつまみながらコントローラ２１０を移動させることにより、モード制御部４８０は、コントローラ２１０の移動に応じて制御パネル６を移動させることができる。制御パネル６は、キャラクタ４に憑依したユーザ（演者）からも、カメラマン２からも俯瞰視点でも、いつでも見やすい位置に置くことが好適である。これにより、ユーザはキャラクタ４に憑依した際には制御パネル６を見ながら演技してプレビューを確認できたり、俯瞰視点で背景セットを配置する時には、カメラ３に対して背景がどう見えてるかを確認しながら設置することができる。
【００３２】
制御パネル６には、制御モードを変更するためのモード切替ボタン６１と、カメラ３により撮影されているカメラ画像を表示するカメラ画像表示部６２と、カメラ３の切替を行うためのカメラ切替ボタン６３とが配置される。図１の例では、モード切換ボタン６１には、仮想空間１を俯瞰する俯瞰モードに切り換えるための「ＳＣＡＰＥ」ボタン、キャラクタ４に憑依して演技を行う演技モードに切り換えるための「ＡＣＴＯＲ」ボタン、カメラマン２に憑依してカメラ３を操作するカメラモードに切り換えるための「ＣＡＭＥＲＡ」ボタンとが少なくとも含まれる。
【００３３】
＜カメラ撮影＞
図８は、本実施形態に係るカメラ３の撮影状況を説明する図である。図８では、ユーザの憑依対象（操作対象）がカメラマン２に設定されていることを想定している。
【００３４】
カメラ３には両側にそれぞれハンドル５１０が設けられる。キャラクタ制御部４２０（カメラ制御部４４０でもよい。以下同じ。）は、コントローラ２１０からの入力に応じてカメラマン２の手２１の動きを制御する。たとえば、コントローラ２１０の姿勢に応じて手２１の姿勢を制御し、トリガーボタン２４０の押下に応じて手２１の握り動作を制御する。カメラ制御部４４０は、ユーザの手２１がハンドル５１０を把持している場合には、手２１の動きに応じてカメラ３の位置や姿勢（撮影方向）、焦点位置などを変更する。カメラ３の位置や姿勢、焦点位置などに応じて表示部５１０に表示される画像が変化する。すなわち、仮想空間１において、ユーザはコントローラ２１０の操作によりカメラ３のカメラワークを実現することができる。
【００３５】
カメラ３には表示部５２０が設けられる。表示部５２０には、カメラ３が仮想空間１において撮影している画像が表示される。図８では、キャラクタ４の正面に配置されたカメラ３−１の例を示しており、表示部５２０にはカメラ３−１の撮影範囲に入るものが撮影されて表示される。ユーザは、表示部５２０に表示されている画像を確認しながらカメラ３を操作することができる。すなわち、カメラマン２は、現実のカメラワークをそのままに仮想空間１においてカメラ３を操作することが可能となる。
【００３６】
また、カメラ３には、スライダ５４０が配置される。ユーザは、手２１を動かしてスライダ５４０を把持し、レール５３０に沿ってスライダ５４０を動かすことができる。本実施形態では、レース５３０は、カメラ３と撮影対象（たとえばキャラクタ４）との間に設けられ、前後方向（カメラ３の撮影方向に平行な、カメラ３の撮影方向を前とする方向）に平行に延在している。カメラ制御部４４０は、スライダ５４０の動きに応じて、カメラ３のズームを調整することができる。たとえば、カメラ制御部４４０は、スライダ５４０がより撮影対象に近くなるように（カメラ３の撮影方向に）移動された場合には、カメラ３のズームの拡大率を大きくし、スライダ５４０がカメラ３に近くなるように（カメラ３の撮影方向と反対方向に）移動された場合には、カメラ３のズームの拡大率を小さくすることができる。なお、スライダ５４０が動く方向（レール５３０の長手方向）は、カメラの撮影方向と平行でなくてもよく、たとえば、上下方向や左右方向であってもよい。また、スライダ５４０は直線動作に代えて、回転動作や螺旋動作であってもよい。
【００３７】
カメラ３の表示部５２０の近傍には録画ボタン５５０が配置される。録画ボタン５５０が押下されると、画像生成部４３０は、カメラ３が撮影している画像を動画として画像データ格納部４７０に記録していき、再度録画ボタン５５０が押下されると、画像生成部４３０による録画は終了する。画像データ格納部４７０に格納される動画は、キャラクタ４のボーンの動きなど、キャラクタ４その他のオブジェクトの位置および動きの時系列的な変化を示すデータ（アクションデータ）として格納されるものとする。
【００３８】
仮想空間１にはカメラ３の操作時にも制御パネル６が配置されている。カメラ３の撮影時で、かつ動画データが画像データ格納部４７０に登録されている場合には、制御パネル６には、再生ボタン６４が設けられる。カメラマン２の指を操作して再生ボタン６４を押下すると、画像データ格納部４７０に登録されているアクションデータに基づいて動画が再生される。上述したように画像データ格納部４７０にはアクションデータが格納されている。したがって、本実施形態のアニメーション制作システム３００では、再生ボタン６４の押下により、キャラクタ４の動作が再現されることになる。そこで、ユーザは、カメラマン２に憑依してカメラ３を操作することで、キャラクタ４が演技（動作）している状態を撮影することができる。
【００３９】
また、ユーザはカメラ３を切り替えて撮影をすることができる。図９は、カメラ３を切り替えた状態を説明する図である。図９の例では、上述の図８に示すカメラ３−１から、カメラ３−２に切り替えた状態を示している。図１に示すように、カメラ３−２は、カメラ３−１よりもキャラクタ４−２に接近した位置に配置されており、図９の例では、キャラクタ４−２がズームアップで撮影されている状態を示している。ここでユーザは、再度制御パネル６の再生ボタン６４を押下することで、カメラ３−１の撮影時と同じ動作をキャラクタ４が行う状態をカメラ３−２を用いて撮影することができる。
【００４０】
図１０は、本実施形態のアニメーション制作システム３００における撮影処理の流れを示す図である。
【００４１】
ユーザは、図１に示すような仮想空間１を俯瞰した状態で、キャラクタ４やカメラ３を仮想空間１内に配置する（Ｓ６０１）。もちろん、キャラクタ４やカメラ３以外のオブジェクト（たとえば、背景や小物など）を配置するようにしてもよい。
【００４２】
ユーザはキャラクタ４に憑依してキャラクタ４を操作し、キャラクタ４の演技を行うとともに、その演技を録画する（Ｓ６０２）。上述したように、ここでの録画は、カメラを通した動画像にとどまらず、キャラクタ４の動作（ボーンの位置や動作など）を記録することを示す。したがって、初回は、カメラ３の位置やアングルなどを考慮してもしなくてもよい。
【００４３】
ユーザは、カメラ３を新たに配置し、あるいは仮想空間１内に配置されているカメラ３からひとつを選択し（Ｓ６０３）、選択したカメラマン２に憑依して、操作対象となるカメラ３の位置やアングルを設定する（Ｓ６０４）。ユーザは、たとえば、制御パネル６の再生ボタン６４を押下することなどにより、アクションデータに基づくキャラクタ４の動作の再生を行い、この演技しているキャラクタ４の動作をカメラ３を用いて撮影する（Ｓ６０５）。他のアングルからの撮影も行いたい場合には（Ｓ６０６：ＹＥＳ）、ステップＳ６０３からの処理を繰り返す。
【００４４】
以上のようにして、ユーザは、キャラクタ４に憑依して行った演技を、後から１台または複数台のカメラ３を用いて撮影することができる。
【００４５】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００４６】
たとえば、本実施形態では、画像生成装置３１０は１台のコンピュータであるものとしたが、これに限らず、ＨＭＤ１１０またはコントローラ２１０に画像生成装置３１０の全部または一部の機能を備えるようにしてもよい。また、画像生成装置３１０と通信可能に接続する他のコンピュータに画像生成装置３１０の一部の機能を備えるようにすることができる。
【００４７】
また、本実施形態では、仮想現実（ＶＲ；Virtual Reality）による仮想空間を想定していたが、これに限らず、拡張現実（ＡＲ；Augumented Reality）空間あるいは複合現実（ＭＲ；Mixed Reality）空間であっても本実施形態のアニメーション制作システム３００はそのまま適用可能である。
【符号の説明】
【００４８】
１      仮想空間
２      カメラマン
３      カメラ
４      キャラクタ
６      制御パネル
６１    モード切替ボタン
６２    カメラ画像表示部
６３    カメラ切替ボタン
１１０  ＨＭＤ
１２０  表示パネル
１３０  筐体部
１４０  センサ
１５０  光源
２１０  コントローラ
２２０  左手用コントローラ
２３０  右手用コントローラ
２３５  グリップ
２４０  トリガーボタン
２５０  赤外線ＬＥＤ
２６０  センサ
２７０  ジョイスティック
２８０  メニューボタン
３００  アニメーション制作システム
３１０  画像生成装置
３２０  入出力部
３３０  通信部
３４０  制御部
３５０  記憶部
４１０  ユーザ入力検出部
４２０  キャラクタ制御部
４３０  画像生成部
４４０  カメラ制御部
４５０  キャラクタデータ格納部
４６０  プログラム格納部
４７０  画像データ格納部
４８０  モード制御部
５１０  ハンドル
５２０  表示部
５３０  レール
５４０  スライダ
５５０  録画ボタン
【図１】
2021059357.tif 000003
【図２】
2021059357.tif 000004
【図３】
2021059357.tif 000005
【図４】
2021059357.tif 000006
【図５】
2021059357.tif 000007
【図６】
2021059357.tif 000008
【図７】
2021059357.tif 000009
【図８】
2021059357.tif 000010
【図９】
2021059357.tif 000011
【図１０】
2021059357.tif 000012
【国際調査報告】
2021059357.tif 000013
2021059357.tif 000014